(57)【要約】【課題】スパンドレル部の密閉空間の内面に結露が生じないカーテンウオールとする。【解決手段】枠体１０の内周面１０ａとガラスパネル１１と覆部材１２とで密閉空間１３を有するスパンドレル部１とし、この枠体１０の密閉空間１３内に、水分吸収量の多い材質の耐火ボード１４を設け、前記密閉空間１３内の水分を耐火ボード１４で吸収して湿気のない状態とし、冬季などに密閉空間１３の内面に結露が生じないようにする。【選択図】図３
2010090529.tif 000002
【特許請求の範囲】
【請求項１】
スパンドレル部と窓部を備えたカーテンウオールであって、
前記スパンドレル部は、枠体と、その枠体の室外側部に設けたガラスパネルと、前記枠体の室内側部に設けた覆部材を有し、前記枠体の内周面とガラスパネルと覆部材とで密閉空間を形成し、
前記枠体の密閉空間内における室内側寄りに、水分吸収量の多い材質の耐火ボードを設けたことを特徴とするカーテンウオール。
【請求項２】
耐火ボードを覆部材に、その耐火ボードの室内側面と覆部材との間に隙間を有して取付け、
この隙間を密閉空間に連通した請求項１記載のカーテンウオール。
【請求項３】
耐火ボードの端面を枠体の内周面と離隔し、その端面に密閉空間内の空気が触れるようにした請求項１又は２記載のカーテンウオール。
【請求項４】
耐火ボードの室外側面を着色した請求項１〜３いずれか１項に記載のカーテンウオール。
【請求項５】
覆部材の周縁部と枠体の内周面との間を気密、水密した請求項１〜４いずれか１項に記載のカーテンウオール。
【請求項６】
覆部材をスチールプレートとし、そのスチールプレートの周縁部を枠体の室内側部に取付け、
前記スチールプレートの室外側面に、下向きコ字形状の上ボード受けと、上向きコ字形状の下ボード受けをそれぞれ取付け、
耐火ボードを、その上縁部が上ボード受けに嵌合すると共に、下縁部が下ボード受けに嵌合して取付けた請求項１記載のカーテンウオール。
【請求項７】
上ボード受けを枠体の内周面と離隔し、この上ボード受けに空気流通部を形成し、
スチールプレートの周縁部と枠体の内周面との間を気密、水密し、
耐火ボードの室外側面を着色した請求項６記載のカーテンウオール。
【発明の詳細な説明】
【技術分野】
【０００１】
本発明は、建物躯体に取付けられて建物の外壁とするカーテンウオールに関する。
【背景技術】
【０００２】
カーテンウオールは、建物の居住空間と対向した窓部と、建物の床、天井と対向したスパンドル部を備えている。
前記窓部は、室内側と室外側を仕切るものであるから、ガラスパネルを用いるのが一般的である。
前記スパンドレル部は、建物の床、天井が室外側から見えないように隠蔽することと、火災時に上下階に亘って延焼しないようにする防火性能が要求される。
この要求を満たすために種々のスパンドレル部が提案されている。
例えば、特許文献１に開示されたように、室外側部にガラスパネル、室内側部に耐火パネルをそれぞれ配置し、このガラスパネルと耐火パネルとの間を密閉空間としたスパンドレル部が提案されている。
【特許文献１】特開２００６−１１８２２５号公報
【発明の開示】
【発明が解決しようとする課題】
【０００３】
前述した従来のスパンドレル部を備えたカーテンウオールであると、スパンドレル部を組み立てる際などに、その密閉空間内に水分が入り込み、組立後に密閉空間に水分が残り、湿気のある状態となることがある。
このように、密閉空間内が湿気のある状態であると、冬季などに密閉空間の内面、例えばガラスパネルの室内側面に結露が生じる恐れがある。
【０００４】
本発明の目的は、スパンドレル部組立時などに、その密閉空間内に水分があっても、その密閉空間の内面に結露が生じないようにしたカーテンウオールとすることである。
【課題を解決するための手段】
【０００５】
本発明は、スパンドレル部と窓部を備えたカーテンウオールであって、
前記スパンドレル部は、枠体と、その枠体の室外側部に設けたガラスパネルと、前記枠体の室内側部に設けた覆部材を有し、前記枠体の内周面とガラスパネルと覆部材とで密閉空間を形成し、
前記枠体の密閉空間内における室内側寄りに、水分吸収量の多い材質の耐火ボードを設けたことを特徴とするカーテンウオールである。
【０００６】
本発明においては、耐火ボードを覆部材に、その耐火ボードの室内側面と覆部材との間に隙間を有して取付け、
この隙間を密閉空間に連通するようにできる。
このようにすれば、耐火ボードの室内側面にも密閉空間内の空気が触れるので、その室内側面からも水分を吸収することができる。
【０００７】
本発明においては、耐火ボードの端面を枠体の内周面と離隔し、その端面に密閉空間内の空気が触れるようにできる。
このようにすれば、耐火ボードの端面からも水分を吸収することができる。
【０００８】
本発明においては、耐火ボードの室外側面を着色することができる。
このようにすれば、室外側からガラスパネルを透して耐火ボードが見えるようにした場合でも、見栄えが良い。
【０００９】
本発明においては、覆部材の周縁部と枠体の内周面との間を気密、水密することができる。
このようにすれば、覆部材の周縁部と枠体の内周面との間から水分が密閉空間内に浸入することがない。
【００１０】
本発明においては、覆部材をスチールプレートとし、そのスチールプレートの周縁部を枠体の室内側部に取付け、
前記スチールプレートの室外側面に、下向きコ字形状の上ボード受けと、上向きコ字形状の下ボード受けをそれぞれ取付け、
耐火ボードを、その上縁部が上ボード受けに嵌合すると共に、下縁部が下ボード受けに嵌合して取付けることができる。
このようにすれば、覆部材としてスチールプレートを用いたことで耐火性が良い。
また、耐火ボードをスチールプレートを介して枠体にしっかり取付けできる。
また、耐火ボードの上縁部、下縁部を上ボード受け、下ボード受けに嵌合して取付けることで、その耐火ボードの室内側面とスチールプレートとの間に隙間が形成されるから、耐火ボードの取付けが簡単である。
【００１１】
本発明においては、上ボード受けを枠体の内周面と離隔し、この上ボード受けに空気流通部を形成し、
スチールプレートの周縁部と枠体の内周面との間を気密、水密し、
耐火ボードの室外側面を着色することができる。
このようにすれば、密閉空間内の空気が上ボード受けを通して耐火ボードの上横端面に触れるので、耐火ボードの上横端面からも水分を吸収できる。
また、枠体の内周面とスチールプレートの周縁部との間から水分が密閉空間に浸入することがない。
また、耐火ボードを室外側から見た時の見栄えが良い。
【発明の効果】
【００１２】
本発明によれば、スパンドレル部は、密閉空間を有すると共に、耐火ボードを備えているので、床や天井を室外側から見えないように隠蔽できるし、耐火性が良い。
また、密閉空間内の水分を耐火ボードで吸収することができるので、スパンドレル部の組立時などに密閉空間内にある水分は耐火ボードで吸収され、密閉空間内が湿気のない状態になるから、その密閉空間の内面に結露が生じることがない。
【発明を実施するための最良の形態】
【００１３】
図１と図２に示すように、カーテンウオールはスパンドレル部１と窓部２を備え、建物躯体、例えば床スラブ３にファスナー４で取付けられる。
前記スパンドレル部１は、建物の床５、天井６などと対向している。
前記窓部２は居住空間７、例えば床５と天井６との間の空間と対向している。
【００１４】
前記スパンドレル部１は、枠体１０の室外側部にガラスパネル１１、室内側部に覆部材１２をそれぞれ設け、その枠体１０の内周面とガラスパネル１１と覆部材１２で密閉空間１３を形成する。
前記枠体１０の密閉空間１３内における室内側寄り、例えば前記覆部材１２に耐火ボード１４が、前記密閉空間１３に臨むように取付けてある。
耐火ボード１４は、水分吸収量の多い材質、例えば調湿機能を有するけい酸カルシウム板である。具体的には、ゾノトライト系耐火ボード、トバモライト系耐火ボードで、この実施の形態ではゾノトライト系耐火ボードを用いている。
前記窓部２は、枠体１５にパネル体、例えばガラスパネル１６を取付けてある。
【００１５】
このようであるから、スパンドレル部１は床５、天井６を室外側から見えないように隠蔽することができる。
また、密閉空間１３と耐火ボード１４を有しているから耐火性が良く、火災時に上下の階（居住空間７）に亘って延焼することを設定した時間だけ防止できる。
【００１６】
また、耐火ボード１４は密閉空間１３内にのみ臨み、密閉空間１３以外には臨んでいないし、水分吸収量の多い材質であるので、密閉空間１３内の水分を効率良く吸収する。
したがって、スパンドレル部１の組立時などに密閉空間１３内に水分が入り込み、組立後に密閉空間１３内に水分が残ることがあっても、その水分は耐火ボード１４で吸収され、密閉空間１３内は湿気のない状態となるから、冬季などに密閉空間１３の内面、例えばガラスパネル１１の室内側面に結露が生じることがない。
【００１７】
この実施の形態では、複数のカーテンウオールユニットでカーテンウオールとしてある。つまり、ユニット式のカーテンウオールである。
前記カーテンウオールユニットは、左右の縦枠２０，２０と上横枠２１と中間横枠２２と下横枠２３で上枠部２４ａと下枠部２４ｂを有する枠体２４を備え、その上枠部２４ａが前述のスパンドレル部１、下枠部２４ｂが前述の窓部２としてある。
そして、左右の縦枠２０の上部寄りがファスナー４で床スラブ３に連結され、上の枠体２４の下横枠２３と下の枠体２４の上横枠２１が室内外側方向に動かないように連結具８で連結してある。
【００１８】
つまり、スパンドレル部１の枠体１０が、左右の縦枠２０の上部寄りと、上横枠２１と、中間横枠２２で形成されている。
前記窓部２の枠体１５は、左右の縦枠２０の下部寄りと、中間横枠２２と、下横枠２３で形成されている。
【００１９】
なお、建物躯体に方立を左右方向に間隔を置いて取付け、その左右の方立間に横材を複数連結して枠体を上下方向に連続して複数形成し、その枠体をスパンドレル部、窓部とした方立式のカーテンウオールユニットとしても良い。
【００２０】
次にスパンドレル部１を詳細に図３、図４に基づいて説明する。
前記覆部材１２の周縁部と枠体１０の内周面１０ａとの間に四周連続した凹部３０を有している。この凹部３０は室外側（密閉空間１３）に向けて開口している。
この凹部３０にシール材３１を充填して覆部材１２の周縁部と枠体１０の内周面１０ａとの間を気密，水密してある。このシール材３１は不定形シール材（湿式シール材）が好ましいが、定形シール材（乾式シール材）でも良い。
また、覆部材１２の周縁部と枠体１０とに亘ってアルミテープなどのシール性を有したテープを貼着してシールとしても良い。
このようにすることで、覆部材１２の周縁部と枠体１０の内周面１０ａとの間から水分が密閉空間１３に浸入することを確実に防止できるから、透湿防止できる。
【００２１】
前記耐火ボード１４の室内側面１４ａと覆部材１２との間に隙間３２がある。この隙間３２は密閉空間１３に連通し、その隙間３２内に密閉空間１３内の空気が流れて耐火ボード１４の室内側面１４ａに触れるので、耐火ボード１４の室内側面１４ａからも水分を吸収することができ、水分の吸収効率が良い。
【００２２】
前記耐火ボード１４の室外側面１４ｂは着色してある。例えば、塗装してある。
これによって、室外側からガラスパネル１１を透して耐火ボード１４を見るようにした場合に、見栄えが良くできる。
つまり、耐火ボード１４自体であると見栄えが悪い。
【００２３】
このようにすると耐火ボード１４の室外側面１４ｂからの吸水性が低下するので、その耐火ボード１４の端面、好ましくは左右の縦端面１４ｃ、上横端面１４ｄを着色等せずにそのままの状態とし、枠体１０の内周面１０ａと離隔して密閉空間１３内の空気が触れるようにし、その端面からも吸水するようにしてある。
【００２４】
次に、前記覆部材１２の好ましい形態を図５、図６に基づいて説明する。
前記覆部材１２はスチールプレートで、以下スチールプレート１２として説明する。
前記スチールプレート１２は、平板状の本体部の周縁部を、室内外側方向に向かう第１片３３と上下方向に向かう第２片３４とで鉤形状としてある。
前記第２片３４を枠体１０の室内側面１０ｂ（上横枠２１、中間横枠２２、縦枠２０の室内側面）に押しつけ、押えプレート３５を接し、その押えプレート３５からビス３６を枠体１０に螺合して固着し、枠体１０の内周面１０ａ（上横枠２１、中間横枠２２、縦枠２０の内側面）と第１片３３の間に凹部３０を四周連続して形成する。
前記押えプレート３５は外向片３５ａと横向片３５ｂと内向片３５ｃでクランク形状で、その外向片３５ａが前記第２片３４に押しつけられ、内向片３５ｃはスチールプレート１２の耐火ボード１４と対向した部分、本体部の外周寄り部分に接している。
【００２５】
前記スチールプレート１２の室外側面１２ａの上縁部と下縁部に上ボード受け４０と下ボード受け５０がそれぞれ取付けてある。
前記上ボード受け４０は、室内側下向片４１と横片４２と室外側下向片４３で断面下向きコ字状の長尺材で、その室内側下向片４１からボルト４４を、スチールプレート１２、前記押えプレート３５の内向片３５ｃを貫通してナット４５に螺合して取付けてある。
前記下ボード受け５０は、室内側上向片５１、横片５２、室外側上向片５３で断面上向きコ字状の長尺材で、その室内側上向片５１を前述と同様にボルト５４、ナット５５で取付けてある。
【００２６】
前記耐火ボード１４の上縁部が上ボード受け４０に嵌合されると共に、下縁部が上ボード受け５０に嵌合してスチールプレート１２に取付けられ、前記耐火ボード１４の室内側面１４ａが上・下ボード受け４０，５０の室内側下向片４１、室内側上向片５１に接し、その室内側面１４ａとスチールプレート１２との間に隙間３２が形成される。
このようであるから、耐火ボード１４を上・下ボード受け４０，５０に嵌合して取付けるだけで隙間３２が形成され、その耐火ボード１４の取付けが簡単である。
【００２７】
前述のようにして耐火ボード１４を取付けすると、その耐火ボード１４の上横端面１４ｄが上ボード受け４０で閉塞されてしまうので、その上ボード受け４０に空気流通部を形成して上横端面１４ｄに密閉空間１３内の空気が触れるようにしてある。
例えば、前記上ボード受け４０の横片４２に切欠き部４２ａを形成し、その切欠き部４２ａを通して密閉空間１３内の空気が耐火ボード１４の上横端面１４ｄに触れるようにしてある。
前記下ボード受け５０にも空気流通部を形成して耐火ボード１４の下横端面１４ｅにも密閉空間１３内の空気が触れるようにしても良いが、耐火ボード１４自体から粉末などの異物が落下することがあるので、下ボード受け５０には空気流通部を形成せずに落下した異物を溜まるようにしてある。
【００２８】
前述のように、覆部材１２をスチールプレートとすることで耐火性がより良いスパンドレル部とすることができる。
前記覆部材１２はアルミプレート、防湿性のシートなどとすることも可能である。つまり、覆部材１２は通気性を有しないものであれば良い。
なお、シートとした場合には耐火ボード１４をシートに取付けることは困難であるから、前述の上ボード受け４０、下ボード受け５０などのボード支持部材を枠体の内周面に取付けることで、耐火ボード１４を取付けることが好ましい。
【図面の簡単な説明】
【００２９】
【図１】本発明の実施の形態を示すカーテンウオールの一部外観図である。
【図２】図１のＡ−Ａ断面図である。
【図３】スパンドレル部分の拡大詳細縦断面図である。
【図４】スパンドレル部分の拡大詳細横断面図である。
【図５】耐火ボート取付部の拡大縦断面図である。
【図６】耐火ボート取付部の拡大横断面図である。
【符号の説明】
【００３０】
１…スパンドレル部、２…窓部、３…床スラブ、４…ファスナー、５…床、６…天井、７…居住空間、１０…枠体、１０ａ…内周面、１１…ガラスパネル、１２…覆部材（スチールプレート）、１３…密閉空間、１４…耐火ボード、１４ａ…室内側面、１４ｂ…室内側面、１４ｃ…縦端面、１４ｄ…上横端面、３１…シール材、３２…隙間、４０…上ボード受け、４２ａ…切欠き部（空気流通部）、５０…下ボード受け。
【図１】
2010090529.tif 000003
【図２】
2010090529.tif 000004
【図３】
2010090529.tif 000005
【図４】
2010090529.tif 000006
【図５】
2010090529.tif 000007
【図６】
2010090529.tif 000008